(57)【特許請求の範囲】
【請求項１】
基板；および
第１電極、少なくとも１つの中間電極および第２電極と、前記電極の間に配置された有機物層とを含む積層型有機発光素子であって、前記電極のうち互いに隣り合わない少なくとも２つの電極が共通電位になるように電気的に接続された第１群の電極、および前記第１群の電極に電気的に接続されない電極のうち１つの電極を含むかまたは互いに隣り合わずに共通電位になるように電気的に接続された少なくとも２つの電極を含む第２群の電極を含む積層型有機発光素子を２以上含み、
前記積層型有機発光素子のいずれか１つの積層型有機発光素子の第１群の電極と他の１つの積層型有機発光素子の第２群の電極が直接接続された形態が連続的に繰り返されるように、前記積層型有機発光素子が互いに離隔間隔をおいて前記基板上に配置され、交流電源によって駆動され、
前記第１群の電極のいずれか１つ及び前記第２群の電極のいずれか１つが前記交流電源と電気的に接続されることを特徴とする有機発光装置。
【請求項２】
前記各積層型有機発光素子は、第１電極、第１有機物層、１つの中間電極、第２有機物層、第２電極、および第１電極と第２電極を接続する接続電極を含み、
前記各積層型有機発光素子の第１群の電極は、前記接続電極によって接続された前記第１電極および前記第２電極であり、第２群の電極は、前記１つの中間電極であり、
前記積層型有機発光素子のいずれか１つの積層型有機発光素子の第１群の電極を形成する前記接続電極と他の１つの積層型有機発光素子の第２群の電極である中間電極が直接接続された形態を有することにより、前記積層型有機発光素子の第１群の電極が連続的に直列に接続され、第２群の電極が連続的に直列に接続され、前記交流電源によって駆動されることを特徴とする、請求項１に記載の有機発光装置。
【請求項３】
前記いずれか１つの有機発光素子の接続電極と前記他の１つの積層型有機発光素子の中間電極の接続形態は、前記接続電極の中央領域から前記中間電極まで延びた形態を有することを特徴とする、請求項２に記載の有機発光装置。
【請求項４】
前記接続電極は、前記基板の板面に対して垂直した方向に前記第１電極から前記第２電極まで延長形成されていることを特徴とする、請求項２または３に記載の有機発光装置。
【請求項５】
前記第１有機物層と前記第２有機物層は、前記基板の板面に対して垂直した軸線に対して同一軸線上または相違する軸線上に配置されていることを特徴とする、請求項２から４のいずれか一項に記載の有機発光装置。
【請求項６】
前記交流電源の供給時、いずれか一つの方向に交流電流が流れる場合に、前記積層型有機発光素子の各第１有機物層が順に連続発光され、前記いずれか一つの方向の反対方向に交流電流が流れる場合に、前記積層型有機発光素子の各第２有機物層が順に連続発光されることを特徴とする、請求項２から５のいずれか一項に記載の有機発光装置。
【請求項７】
前記各積層型有機発光素子は、第１電極、第１有機物層、第１中間電極、第２有機物層、第２中間電極、第３有機物層、第２電極、第１電極と第２中間電極を接続する第１接続電極、および第１中間電極と第２電極を接続する第２接続電極を含み、
前記各積層型有機発光素子の第１群の電極は、前記第１接続電極によって接続された前記第１電極と前記第２中間電極であり、第２群の電極は、前記第２接続電極によって接続された前記第１中間電極と前記第２電極であり、
前記積層型有機発光素子のいずれか１つの積層型有機発光素子の第１群の電極を形成する前記第１接続電極と他の１つの積層型有機発光素子の第２群の電極を形成する前記第２接続電極が直接接続された形態を有することにより、前記積層型有機発光素子のいずれか１つの積層型有機発光素子の第１群の電極および隣り合う他の１つの積層型有機発光素子の第１群の電極は連続的に直列に接続され、前記積層型有機発光素子のいずれか１つの積層型有機発光素子の第２群の電極および隣り合う他の１つの積層型有機発光素子の第２群の電極は連続的に直列に接続され、前記交流電源によって駆動されることを特徴とする、請求項１に記載の有機発光装置。
【請求項８】
前記第１接続電極と前記第２接続電極の接続形態は、前記積層型有機発光素子のいずれか１つの積層型有機発光素子の第１電極および隣り合う他の１つの積層型有機発光素子の第２電極を前記基板の板面に対して垂直した方向につなぐ連結区間上において前記積層型有機発光素子のいずれか１つの積層型有機発光素子の第２中間電極および隣り合う他の１つの積層型有機発光素子の第１中間電極が互いに反対方向に分岐した、前記第１および第２接続電極が重なった形態であることを特徴とする、請求項７に記載の有機発光装置。
【請求項９】
前記交流電源の供給時、いずれか一つの方向に交流電流が流れる場合に、前記積層型有機発光素子の第２有機物層が順に連続発光され、前記いずれか一つの方向の反対方向に交流電流が流れる場合に、前記積層型有機発光素子の第１および第３有機物層が共に順に連続発光されることを特徴とする、請求項７または８に記載の有機発光装置。
【請求項１０】
前記各積層型有機発光素子は、第１電極、第１有機物層、第１中間電極、第２有機物層、第２中間電極、第３有機物層、第３中間電極、第４有機物層、第２電極、第１電極と第２中間電極および第２電極を接続する第１接続電極、および第１中間電極と第３中間電極を接続する第２接続電極を含み、
前記各積層型有機発光素子の第１群の電極は、前記第１接続電極によって接続された前記第１電極、前記第２中間電極、および前記第２電極であり、第２群の電極は、前記第２接続電極によって接続された前記第１中間電極と前記第３中間電極であり、
前記積層型有機発光素子のいずれか１つの積層型有機発光素子の第１群の電極を形成する前記第１接続電極と他の１つの積層型有機発光素子の第２群の電極を形成する前記第２接続電極が直接接続された形態を有することにより、前記積層型有機発光素子のいずれか１つの積層型有機発光素子の第１群の電極および隣り合う他の１つの積層型有機発光素子の第１群の電極は連続的に直列に接続され、前記積層型有機発光素子のいずれか１つの積層型有機発光素子の第２群の電極および隣り合う他の１つの積層型有機発光素子の第２群の電極は連続的に直列に接続され、前記交流電源によって駆動されることを特徴とする、請求項１に記載の有機発光装置。
【請求項１１】
前記第１接続電極と前記第２接続電極の接続形態は、前記積層型有機発光素子のいずれか１つの積層型有機発光素子の第１電極および隣り合う他の１つの積層型有機発光素子の第２電極を前記基板の板面に対して垂直した方向につなぐ連結区間上において前記積層型有機発光素子のいずれか１つの積層型有機発光素子の第２中間電極および隣り合う他の１つの積層型有機発光素子の第１および第３中間電極が互いに反対方向に分岐した、前記第１および第２接続電極が重なった形態であることを特徴とする、請求項１０に記載の有機発光装置。
【請求項１２】
前記交流電源の供給時、いずれか一つの方向に交流電流が流れる場合に、前記積層型有機発光素子の第２および第４有機物層が順に連続発光され、前記いずれか一つの方向の反対方向に交流電流が流れる場合に、前記積層型有機発光素子の第１および第３有機物層が順に連続発光されることを特徴とする、請求項１０または１１に記載の有機発光装置。
【請求項１３】
前記第１電極および前記第２電極のいずれか１つは、インジウムスズ酸化物（ＩＴＯ：Ｉｎｄｉｕｍ  Ｔｉｎ  Ｏｘｉｄｅ）、インジウム亜鉛酸化物（ＩＺＯ：Ｉｎｄｉｕｍ  Ｚｉｎｃ  Ｏｘｉｄｅ）、および亜鉛酸化物（ＺｎＯ）のうちから選択された１種以上で形成され、他の１つは、マグネシウム、カルシウム、ナトリウム、カリウム、チタニウム、インジウム、イットリウム、リチウム、ガドリニウム、アルミニウム、銀、スズ、および鉛のような金属またはこれらの合金で形成されることを特徴とする、請求項１から１２のいずれか一項に記載の有機発光装置。
【請求項１４】
前記第１電極および前記第２電極のいずれか１つは、インジウムスズ酸化物（ＩＴＯ：Ｉｎｄｉｕｍ  Ｔｉｎ  Ｏｘｉｄｅ）、インジウム亜鉛酸化物（ＩＺＯ：Ｉｎｄｉｕｍ  Ｚｉｎｃ  Ｏｘｉｄｅ）、および亜鉛酸化物（ＺｎＯ）のうちから選択された１種以上で形成され、他の１つは、ＬｉＦ／ＡｌまたはＬｉＯ２／Ａｌで形成されることを特徴とする、請求項１から１２のいずれか一項に記載の有機発光装置。
【請求項１５】
前記有機物層は、電子輸送層、発光層、正孔輸送層、および正孔注入層を含むことを特徴とする、請求項１から１４のいずれか一項に記載の有機発光装置。
【請求項１６】
前記基板は、ガラス基板またはプラスチック基板であることを特徴とする、請求項１から１５のいずれか一項に記載の有機発光装置。
【請求項１７】
前記中間電極および前記接続電極は、各々独立して、カルシウム、マグネシウム、ナトリウム、カリウム、チタニウム、インジウム、イットリウム、リチウム、ガドリニウム、アルミニウム、銀、スズ、鉛またはこれらの合金、ＬｉＦ／Ａｌ、ＬｉＯ２／Ａｌ、Ｃａ−Ａｇ、ＩＴＯ、ＩＺＯ、Ｃａ−ＩＴＯ、Ｃａ−ＩＺＯ、Ａｇ−ＩＴＯ、Ａｇ−ＩＺＯ、ＺｎＯ、およびＭａ−Ａｇのうちから選択された１種以上で形成されることを特徴とする、請求項２から１６のいずれか一項に記載の有機発光装置。
【請求項１８】
前記接続電極および前記中間電極は、各々独立して、カルシウム、マグネシウム、Ｃａ−Ａｇ、Ｃａ−ＩＴＯ、Ｃａ−ＩＺＯ、Ａｇ−ＩＺＯ、Ａｇ−ＩＴＯ、およびＭａ−Ａｇのうちから選択された１種以上で形成されることを特徴とする、請求項２から１６のいずれか一項に記載の有機発光装置。
【発明の詳細な説明】
【技術分野】
【０００１】
本発明は、積層型有機発光素子を含む有機発光装置に関し、より詳しくは、交流を直流に変換させるコンバーターを用いることなく交流電源によって直接駆動させることができる有機発光装置に関する。本出願は２０１０年８月１７日に韓国特許庁に提出された韓国特許出願第１０−２０１０−００７９１０８号の出願日の利益を主張し、その内容の全ては本明細書に含まれる。
【背景技術】
【０００２】
有機発光現象を用いる有機発光素子は、低電圧で高輝度の実現が可能であるという長所があるために各種の照明装置にその適用が活発であり、また、低電圧駆動、軽量薄型、広視野角、および高速応答などの長所があるためにディスプレイ装置にその適用が活発である。
【０００３】
有機発光現象とは、有機物質を用いて電気エネルギーを光エネルギーに転換させる現象をいう。すなわち、陽極と陰極との間に有機物層を介在させた時、２つの電極の間に電圧を印加すれば、陽極からは正孔が、陰極からは電子が有機物層に注入される。この注入された正孔と電子が接した時に励起子（ｅｘｃｉｔｏｎ）が形成され、この励起子が再び基底状態に落ちる時に光が出る。
【発明の概要】
【発明が解決しようとする課題】
【０００４】
そこで、本発明の目的は、交流を直流に変換させるコンバーターを用いることなく交流電源によって直接駆動させることができる有機発光装置を提供することにある。
【課題を解決するための手段】
【０００５】
本発明は、基板；および第１電極、少なくとも１つの中間電極および第２電極と、前記電極の間に配置された有機物層とを含む積層型有機発光素子であって、前記電極のうち互いに隣り合わない少なくとも２つの電極が共通電位になるように電気的に接続された第１群の電極、および前記第１群の電極に電気的に接続されない電極のうち１つの電極を含むかまたは互いに隣り合わずに共通電位になるように電気的に接続された少なくとも２つの電極を含む第２群の電極を含む積層型有機発光素子を２以上含み、前記積層型有機発光素子のいずれか１つの積層型有機発光素子の第１群の電極と他の１つの積層型有機発光素子の第２群の電極が直接接続された形態が連続的に繰り返されるように、前記積層型有機発光素子が互いに離隔間隔をおいて前記基板上に配置され、交流電源によって駆動されることを特徴とする有機発光装置を提供する。
【発明の効果】
【０００６】
本発明によれば、交流を直流に変換させるコンバーターを用いることなく交流電源によって直接駆動させることができる有機発光装置が提供される。また、様々な発光色の実現が可能な有機発光装置が提供される。
【図面の簡単な説明】
【０００７】
【図１】本発明の一実施例による有機発光装置の駆動を示す図である。
【図２】本発明の一実施例による有機発光装置の駆動を示す図である。
【図３】本発明の一実施例による有機発光装置の等価回路図を示す図である。
【図４】本発明の他の実施例による有機発光装置の駆動を示す図である。
【図５】本発明の他の実施例による有機発光装置の駆動を示す図である。
【図６】本発明の他の実施例による有機発光装置の等価回路図を示す図である。
【図７】本発明のまた他の実施例による有機発光装置の駆動を示す図である。
【図８】本発明のまた他の実施例による有機発光装置の等価回路図を示す図である。
【発明を実施するための形態】
【０００８】
本発明による有機発光装置は、基板、および第１電極、少なくとも１つの中間電極および第２電極と、前記電極の間に配置された有機物層とを含む積層型有機発光素子として、前記電極のうち互いに隣り合わない少なくとも２つの電極が共通電位になるように電気的に接続された第１群の電極、および前記第１群の電極に電気的に接続されない電極のうち１つの電極を含むかまたは互いに隣り合わずに共通電位になるように電気的に接続された少なくとも２つの電極を含む第２群の電極を含む積層型有機発光素子を２以上含む。
【０００９】
ここで、積層型有機発光素子の個数の上限に制限はないが、１１０Ｖ交流電源が印加される場合は１７〜２０個であってもよく、２２０Ｖの場合は３５〜３８個であってもよい。しかし、これに限定されるものではない。
【００１０】
ここで、前記積層型有機発光素子のいずれか１つの積層型有機発光素子の第１群の電極と他の１つの積層型有機発光素子の第２群の電極が直接接続された形態が連続的に繰り返されるように、前記積層型有機発光素子が互いに離隔間隔をおいて前記基板上に配置され、交流電源によって駆動される。
【００１１】
図１は本発明の一実施例による有機発光装置を示す図であり、２つの有機発光素子が積層された形態であり、積層型有機発光素子が２つ連結された様子を示す。
【００１２】
図２は本発明の一実施例による有機発光装置を簡略に示す図であり、２つの有機発光素子が積層された形態である。
【００１３】
本発明の前記実施状態によれば、前記各積層型有機発光素子は、第１電極、第１有機物層、１つの中間電極、第２有機物層、第２電極、および第１電極と第２電極を接続する接続電極を含むことができ、
前記各積層型有機発光素子の第１群の電極は、前記接続電極によって接続された前記第１電極および前記第２電極であり、第２群の電極は、前記１つの中間電極であり、
前記積層型有機発光素子のいずれか１つの積層型有機発光素子の第１群の電極を形成する前記接続電極と他の１つの積層型有機発光素子の第２群の電極である中間電極が直接接続された形態を有することにより、前記積層型有機発光素子の第１群の電極が連続的に直列に接続され、第２群の電極が連続的に直列に接続され、前記交流電源によって駆動されることができる。
【００１４】
また、前記いずれか１つの有機発光素子の接続電極と前記他の１つの積層型有機発光素子の中間電極の接続形態は、前記接続電極の中央領域から前記中間電極まで延びた形態を有してもよい。
【００１５】
本明細書の記載における中央領域の意味は、図１において、基板の板面に対して垂直方向に延長形成された接続電極の一定領域において隣り合う有機発光素子の中間電極が水平方向に延長形成される構造における前記一定領域を意味し、必ずしも真ん中に限定されるものではない。
【００１６】
また、前記接続電極は、前記基板の板面に対して垂直した方向に前記第１電極から前記第２電極まで延長形成されてもよい。
【００１７】
また、前記第１有機物層と前記第２有機物層は、前記基板の板面に対して垂直した軸線に対して同一軸線上または相違する軸線上に配置されてもよい。
【００１８】
このような構成を有する本発明による有機発光装置において、前記交流電源の供給時、いずれか一つの方向に交流電流が流れる場合に、前記積層型有機発光素子の各第１有機物層が順に連続発光され、前記いずれか一つの方向の反対方向に交流電流が流れる場合に、前記積層型有機発光素子の各第２有機物層が順に連続発光されることができる。
【００１９】
一例として、前記いずれか一つの方向に交流電流が流れる場合に、前記第１有機物層はレッド（Ｒｅｄ）とブルー（Ｂｌｕｅ）のいずれか１つのカラーで発光され、前記いずれか一つの方向の反対方向に交流電流が流れる場合に、前記第２有機物層はレッド（Ｒｅｄ）とブルー（Ｂｌｕｅ）のうち残りの１つのカラーで発光されることができる。
【００２０】
図４は本発明の他の実施例による有機発光装置を示す図であり、３つの有機発光素子が積層された形態であり、積層型有機発光素子が２つ連結された様子を示す。
【００２１】
図５は本発明の他の実施例による有機発光装置を簡略に示す図であり、３つの有機発光素子が積層された形態である。
【００２２】
本発明の前記実施状態によれば、前記各積層型有機発光素子が、第１電極、第１有機物層、第１中間電極、第２有機物層、第２中間電極、第３有機物層、第２電極、第１電極と第２中間電極を接続する第１接続電極、および第１中間電極と第２電極を接続する第２接続電極を含むことができる。
【００２３】
この場合、前記各積層型有機発光素子の第１群の電極は、前記第１接続電極によって接続された前記第１電極と前記第２中間電極であり、第２群の電極は、前記第２接続電極によって接続された前記第１中間電極と前記第２電極であり、
【００２４】
前記積層型有機発光素子のいずれか１つの積層型有機発光素子の第１群の電極を形成する前記第１接続電極と他の１つの積層型有機発光素子の第２群の電極を形成する前記第２接続電極が直接接続された形態を有することにより、前記積層型有機発光素子のいずれか１つの積層型有機発光素子の第１群の電極および隣り合う他の１つの積層型有機発光素子の第１群の電極は連続的に直列に接続され、前記積層型有機発光素子のいずれか１つの積層型有機発光素子の第２群の電極および隣り合う他の１つの積層型有機発光素子の第２群の電極は連続的に直列に接続され、前記交流電源によって駆動されることができる。
【００２５】
また、この場合、前記第１接続電極と前記第２接続電極の接続形態は、前記積層型有機発光素子のいずれか１つの積層型有機発光素子の第１電極および隣り合う他の１つの積層型有機発光素子の第２電極を前記基板の板面に対して垂直した方向につなぐ連結区間上において前記積層型有機発光素子のいずれか１つの積層型有機発光素子の第２中間電極および隣り合う他の１つの積層型有機発光素子の第１中間電極が互いに反対方向に分岐した、前記第１および第２接続電極が重なった形態であってもよい。
【００２６】
なお、この場合、前記交流電源の供給時、いずれか一つの方向に交流電流が流れる場合に、前記積層型有機発光素子の第２有機物層が順に連続発光され、前記いずれか一つの方向の反対方向に交流電流が流れる場合に、前記積層型有機発光素子の第１および第３有機物層が共に順に連続発光されることができる。
【００２７】
図７は、本発明のまた他の実施例による有機発光装置を簡略に示す図であり、４個の有機発光素子が積層された形態である。
【００２８】
本発明の前記実施状態によれば、前記各積層型有機発光素子が、第１電極、第１有機物層、第１中間電極、第２有機物層、第２中間電極、第３有機物層、第３中間電極、第４有機物層、第２電極、第１電極と第２中間電極および第２電極を接続する第１接続電極、および第１中間電極と第３中間電極を接続する第２接続電極を含むことができる。
【００２９】
この場合、前記各積層型有機発光素子の第１群の電極は、前記第１接続電極によって接続された前記第１電極、前記第２中間電極、および前記第２電極であり、第２群の電極は、前記第２接続電極によって接続された前記第１中間電極と前記第３中間電極であり、
前記積層型有機発光素子のいずれか１つの積層型有機発光素子の第１群の電極を形成する前記第１接続電極と他の１つの積層型有機発光素子の第２群の電極を形成する前記第２接続電極が直接接続された形態を有することにより、前記積層型有機発光素子のいずれか１つの積層型有機発光素子の第１群の電極および隣り合う他の１つの積層型有機発光素子の第１群の電極は連続的に直列に接続され、前記積層型有機発光素子のいずれか１つの積層型有機発光素子の第２群の電極および隣り合う他の１つの積層型有機発光素子の第２群の電極は連続的に直列に接続され、前記交流電源によって駆動されることができる。
【００３０】
また、この場合、前記第１接続電極と前記第２接続電極の接続形態は、前記積層型有機発光素子のいずれか１つの積層型有機発光素子の第１電極および隣り合う他の１つの積層型有機発光素子の第２電極を前記基板の板面に対して垂直した方向につなぐ連結区間上において前記積層型有機発光素子のいずれか１つの積層型有機発光素子の第２中間電極および隣り合う他の１つの積層型有機発光素子の第１および第３中間電極が互いに反対方向に分岐した、前記第１および第２接続電極が重なった形態であってもよい。
【００３１】
なお、この場合、前記交流電源の供給時、いずれか一つの方向に交流電流が流れる場合に、前記積層型有機発光素子の第２および第４有機物層が順に連続発光され、前記いずれか一つの方向の反対方向に交流電流が流れる場合に、前記積層型有機発光素子の第１および第３有機物層が順に連続発光されることができる。
【００３２】
一方、前記基板は、ガラス基板またはプラスチック基板であってもよい。ここで、前記基板がプラスチック基板である場合に、固い材質のプラスチック基板であってもよく、フレキシブル（ｆｌｅｘｉｂｌｅ）な材質のプラスチック基板であってもよい。
【００３３】
前記第１電極と前記第２電極のいずれか１つは、インジウムスズ酸化物（ＩＴＯ：Ｉｎｄｉｕｍ  Ｔｉｎ  Ｏｘｉｄｅ）、インジウム亜鉛酸化物（ＩＺＯ：Ｉｎｄｉｕｍ  Ｚｉｎｃ  Ｏｘｉｄｅ）、および亜鉛酸化物（ＺｎＯ）のうちから選択された１種以上で形成されてもよい。
【００３４】
前記第１電極と前記第２電極のうち他の１つは、マグネシウム、カルシウム、ナトリウム、カリウム、チタニウム、インジウム、イットリウム、リチウム、ガドリニウム、アルミニウム、銀、スズ、および鉛のような金属またはこれらの合金で形成されてもよい。また、ＬｉＦ／ＡｌまたはＬｉＯ２／Ａｌのような多層構造の物質などで形成されてもよい。
【００３５】
ここで、前記第１電極はＬｉＦ／Ａｌで形成された陰極であり、前記第２電極は透明なインジウムスズ酸化物（ＩＴＯ：Ｉｎｄｉｕｍ  Ｔｉｎ  Ｏｘｉｄｅ）で形成された陽極であってもよい。
【００３６】
前記第１有機物層および前記第２有機物層は、各々、正孔注入層、正孔輸送層、発光層、および電子輸送層を含むことができる。
【００３７】
前記中間電極は、導電層が積層された形態であってもよく、単一導電層の形態であってもよい。前記中間積極が単一導電層の形態である場合に、仕事関数が通常用いられるカソード物質の仕事関数と類似する値を有し、且つ、可視光線透過率が５０％以上である透明な物質で形成されることが好ましい。
【００３８】
不透明金属が中間電極として用いられる場合、中間電極の厚さは透明になるほど薄く形成されることが好ましい。
前記接続電極の材料は、接続される電極の材料と同じであるか異なってもよい。
【００３９】
前記中間電極および前記接続電極は、各々独立して、カルシウム、マグネシウム、ナトリウム、カリウム、チタニウム、インジウム、イットリウム、リチウム、ガドリニウム、アルミニウム、銀、スズ、鉛またはこれらの合金、ＬｉＦ／Ａｌ、ＬｉＯ２／Ａｌ、Ｃａ−Ａｇ、ＩＴＯ、ＩＺＯ、Ｃａ−ＩＴＯ、Ｃａ−ＩＺＯ、Ａｇ−ＩＴＯ、Ａｇ−ＩＺＯ、ＺｎＯ、およびＭａ−Ａｇのうちから選択された１種以上で形成されてもよい。
【００４０】
特に低い仕事関数を有するカルシウムまたはマグネシウムを用いて中間電極を形成することができ、カルシウム、マグネシウム、Ｃａ−Ａｇ、Ｃａ−ＩＴＯ、Ｃａ−ＩＺＯ、Ａｇ−ＩＺＯ、Ａｇ−ＩＴＯ、またはＭａ−Ａｇのうちから選択された１種以上で形成することが好ましい。
【００４１】
特に、Ｃａ−ＩＺＯを用いる場合に可視光線透過度を改善することができ、これにより、積層型有機発光素子の場合、同一の駆動電圧下でスタックされた有機発光素子単位の個数に比例して輝度が増加するため、本発明による有機発光素子の中間電極として用いるのに好適である。
【００４２】
このように、本発明によれば、交流を直流に変換させるコンバーターを用いることなく交流電源によって有機発光装置を直接駆動させることができ、様々な発光色の実現が可能な有機発光装置を提供することができる。
【００４３】
一方、本発明による有機発光装置を含む電子装置を提供する。前記電子装置としては本願による有機発光素子を含む有機ＥＬパネル、照明装置などがあるが、これらのみに限定されるものではない。
【００４４】
以下では、図１〜図３を参照して本発明について詳細に説明する。便宜上、２つの有機発光素子が積層された形態を有する有機発光装置についてのみ説明し、それ以上の個数で積層された構成に関する説明は省略する。
【００４５】
本発明による有機発光装置は、図１に示すように、基板、および前記基板上に備えられた積層型有機発光素子を含む。
【００４６】
各積層型有機発光素子は、図１〜図３に示すように２層構造を有してもよく、互いに隣り合う積層型有機発光素子は互いに電気的に直列に接続されている。
【００４７】
以下では、説明の便宜上、右側に位置した積層型有機発光素子を第１積層型有機発光素子とし、左側に位置した積層型有機発光素子を第２積層型有機発光素子とする。
【００４８】
各積層型有機発光素子は、基板上に順次積層された第１電極、第１有機物層、中間電極、第２有機物層、第２電極、および第１電極と第２電極を垂直方向に接続する接続電極を含む。
【００４９】
ここで、第１積層型有機発光素子の第１電極と第２積層型有機発光素子の第１電極は互いに離隔して配置されており、第１積層型有機発光素子の第２電極と第２積層型有機発光素子の第２電極は互いに離隔して配置されている。
【００５０】
また、第２積層型有機発光素子の中間電極が第１積層型有機発光素子の接続電極と接続されている。
【００５１】
各積層型有機発光素子の第１有機物層の発光色はレッド（Ｒｅｄ）であり、各積層型有機発光素子の第２有機物層の発光色はブルー（Ｂｌｕｅ）であってもよいが、これらの発光色に限定されるものではない。
【００５２】
以下では、このような構成を有する本発明による有機発光装置の駆動について説明する。
【００５３】
本発明による有機発光装置に交流電源を印加すると、両方向に交流電流が流れて、第１および第２積層型有機発光素子を駆動させるようになる。具体的にこれを分けて説明するが、駆動順は以下で説明することに限定されない。
【００５４】
先ず、図１の右側から左側に交流電流が流れる場合、第１積層型有機発光素子の中間電極→第１積層型有機発光素子の第２有機物層→第１積層型有機発光素子の第２電極→第１積層型有機発光素子の接続電極の上側区間→第２積層型有機発光素子の中間電極→第２積層型有機発光素子の第２有機物層→第２積層型有機発光素子の第２電極→第２積層型有機発光素子の接続電極→第１電極の順に、交流電流が流れる。
【００５５】
これにより、第１積層型有機発光素子の第２有機物層から第２積層型有機発光素子の第２有機物層の順に、ブルー（Ｂｌｕｅ）色の光が発散される。
【００５６】
このように、図１に示された状態を基準に右側から左側に交流電流が流れる場合、本発明による有機発光装置の第２有機物層においてはブルー色の光が発散される。
【００５７】
次に、図１の左側から右側に交流電流が流れる場合、第２積層型有機発光素子の第１電極→第２積層型有機発光素子の第１有機物層→第２積層型有機発光素子の中間電極→第１積層型有機発光素子の接続電極の下側区間→第１積層型有機発光素子の第１電極→第１積層型有機発光素子の第１有機物層→第１積層型有機発光素子の中間電極の順に、交流電流が流れる。
【００５８】
これにより、第２積層型有機発光素子の第１有機物層から第１積層型有機発光素子の第１有機物層の順に、レッド（Ｒｅｄ）色の光が発散される。
【００５９】
このように、図１に示された状態を基準に左側から右側に交流電流が流れる場合、本発明による有機発光装置の第１有機物層においてはレッド色の光が発散される。
【図２】
0005635699.tif 000002
【図５】
0005635699.tif 000003
【図６】
0005635699.tif 000004
【図７】
0005635699.tif 000005
【図８】
0005635699.tif 000006
【図１】
0005635699.tif 000007
【図３】
0005635699.tif 000008
【図４】
0005635699.tif 000009